(57)【特許請求の範囲】
【請求項１】
背凭れ部内に立設された一対のマッサージ機構案内レールを備え、施療子を備えたマッサージ機構を前記案内レールに沿って昇降自在に内装したマッサージ機において、
前記マッサージ機構案内レールは、中間部から下部を二股に分岐するよう形成されたマッサージ機構分岐案内レールと、該マッサージ機構分岐案内レールの分岐部に配設された前後可動可能な分機用移動レールとを備え、
前記マッサージ機構分岐案内レールを、上方の上主レールと下方の前記背凭れ部の前後方向に前後に分岐する下主レール及び下副レールとから構成するとともに、
前記分機用移動レールを、前記マッサージ機構分岐案内レールの上主レールと下主レール及び下副レールとの分岐部において、前記マッサージ機構の施療子の作動・停止に応じて前後方向に可動させるように構成した事を特徴とするマッサージ機。
【請求項２】
前記マッサージ機構に施療子の作動・停止の各指示を自動的に検知して前記分機用移動レールを適宜前後に可動させる制御機構を設けた事を特徴とする請求項１記載のマッサージ機。
【発明の詳細な説明】
【０００１】
【産業上の利用分野】
本発明は、背凭れ部内で昇降自在に内装されたマッサージ機構を、収納時には施療子が前面側へ突出しないよう後退収納できるようにしたマッサージ機に関するものである。
【０００２】
【従来の技術】
従来、この種のマッサージ機は、背凭れ部の内部に昇降自在なマッサージ機構を備え、該マッサージ機構の施療子により背凭れ部に凭れ掛かった施療者の肩部や背部などを任意にマッサージを施すようにしている。
【０００３】
ところで、このようなマッサージ機は、施療者がマッサージを行う場合以外には、一般的にマッサージ機構の施療子が突出している為に、これが邪魔となり、通常の椅子としての使用もされない場合が多いのが現状である。
【０００４】
【発明が解決しようとする課題】
本発明は、上記実情に鑑みて成されたものであり、通常のマッサージ時には、マッサージ機構を施療者背部に沿って昇降動可能にし、収納時、すなわちマッサージ機構の停止時にはこれを後退収納できるようにし、施療者がマッサージを行なわない場合においても、通常の椅子として使用できるマッサージ機を提供する事を目的とするものである。
【０００５】
本発明のマッサージ機は、上記目的を達成すべく、以下のように構成するものである。すなわち本発明のマッサージ機は、背凭れ部内に立設された一対のマッサージ機構案内レールを備え、施療子を備えたマッサージ機構を該案内レールに沿って昇降自在に内装したマッサージ機において、前記マッサージ機構案内レールは、中間部から下部を二股に分岐するよう形成されたマッサージ機構分岐案内レールと、該マッサージ機構分岐案内レールの分岐部に配設された前後可動可能な分機用移動レールとを備え、前記マッサージ機構分岐案内レールを、上方の上主レールと下方の前記背凭れ部の前後方向に前後に分岐する下主レール及び下副レールとから構成するとともに、前記分機用移動レールを、前記マッサージ機構分岐案内レールの上主レールと下主レール及び下副レールとの分岐部において、前記マッサージ機構の作動・停止に応じて前後方向に可動させるように構成した事を特徴とするものである。
【０００６】
また本発明のマッサージ機は、前記マッサージ機構に施療子の作動・停止の各指示を自動的に検知して前記分機用移動レールを適宜前後に可動させる制御機構を設けた事を特徴とするものである。
【０００７】
【作用】
本発明のマッサージ機は、以上のように構成する事により、次のような作用をもたらすものである。
【０００８】
すなわち、本発明のマッサージ機は、背凭れ部内でマッサージ機構を昇降案内する一対のマッサージ機構案内レールを、下方で前後に分岐させて各々の方向に案内できるよう構成している為、施療者がマッサージ時を行ないたい場合には、常時マッサージ機構は施療者の背部（背凭れ部前面側）に沿って昇降動し、該マッサージ機構を停止した場合には、マッサージ機構は、下方で施療者から離反する方向に後退下降して停止し、施療者がマッサージを行なわない場合に、マッサージ機構が施療者背部に当接して邪魔になるという事がなく、通常の椅子として使用する事ができる。
【０００９】
また、本発明のマッサージ機は、前記マッサージ機構に施療子の作動・停止の各指示を自動的に検知して前記分機用移動レールを適宜前後に可動させる制御機構を設けている為、マッサージ機構を作動させた場合には、マッサージ機構が施療者の背部側に接するよう分岐用移動レールを自動的に前方に可動切替したマッサージ機構案内レールとし、またマッサージ機構を停止した場合には、マッサージ機構が施療者の背部と離反する側に分岐用移動レールを自動的に後方に可動切替したマッサージ機構案内レールとする事ができる。
【００１０】
【発明の実施の形態】
以下、本発明のマッサージ機を、図面に示す一実施例に基づいてこれを詳細に説明する。
図面において、図１及び図２は本発明のマッサージ機の稼動時におけるマッサージ機構の昇降移動状況の一実施例を示す説明図であり、図３及び図４は本発明のマッサージ機の不使用時におけるマッサージ機構の収納移動状況の一実施例を示す説明図であり、図５乃至図７は本発明のマッサージ機におけるマッサージ機構案内レールの一実施例を示す説明図である。
【００１１】
実施例で示した本発明のマッサージ機は、座部１の後方で、内部に一対のマッサージ機構案内レールを配設し、角度可変可能に起伏し得る背凭れ部２を備えており、該背凭れ部２の内部には施療子３１位置を上下に変更してマッサージし得るマッサージ機構３をマッサージ機構案内レールに沿って昇降自在に内設したものである。
【００１２】
而して、本発明のマッサージ機は、上記マッサージ機における一対のマッサージ機構案内レールを、断面視コ字状に湾曲形成すると共に下部を二股に分岐するよう形成されて、前記背凭れ部２の幅方向両側に開口部が対向するようその一対を立設するものであり、開口部側には、図示していないが噛合用ギヤが設けられたマッサージ機構分岐案内レール４にしており、前記マッサージ機構３の両側上部に配設される駆動回転自在な昇降駆動ギヤ３２とその下部に各々配設される追従輪３３とがこのマッサージ機構分岐案内レール４の開口部内に嵌入し、前記噛合用ギヤと昇降駆動ギヤ３２とが噛合して移動する事で、マッサージ機構３を移動昇降可能にしている。
【００１３】
前記対向状一対のマッサージ機構分岐案内レール４は、図５乃至図７の実施例で示したように、前述した上方の上主レール４１と下方を前後に分岐させた下主レール４２及び下副レール４３とを各々有するよう構成されており、該マッサージ機構分岐案内レール４の分岐部には前後に可動可能に枢止された分機用移動レール４４を配設して構成したものである。
【００１４】
前記分機用移動レール４４は、前述したように、上主レール４１と下主レール４２及び下副レール４３との分岐部に配備されて可動し得るよう枢止されているが、この分機用移動レール４４の前後可動切替は、電磁クラッチ等を利用して行なう事ができる。
【００１５】
実施例で示したマッサージ機構３は、一対の施療子３１により揉み動作、叩き動作、振動動作、指圧動作或いはこれらの複合動作等を任意に行わせるようにするものであり、該マッサージ機構３を前記マッサージ機構分岐案内レール４に沿って昇降動可能にする事で、任意の位置或いは連続昇降しながら前記施療子３１による任意の施療動作を行なわせるようにしている。
【００１６】
以上のように構成した本発明のマッサージ機を使用する場合には、電磁クラッチ等を利用して、対向状一対のマッサージ機構分岐案内レール４・４の各上主レール４１と各下主レール４２とが連通するよう、図７に示したように分機用移動レール４４を切替配備するだけで、上主レール４１と下主レール４２に沿ってマッサージ機構３が昇降動する事となり、マッサージ機構３の施療子３１により、施療者の背部に沿った適宜のマッサージを施す事ができる。
【００１７】
また、マッサージを停止した場合や、通常の椅子として使用する場合には、電磁クラッチ等を利用して、対向状一対のマッサージ機構分岐案内レール４・４の各上主レール４１と下副レール４３とが連通するよう、図５に示したように分機用移動レール４４を切替配備するだけで、図６に示したように上主レール４１と下副レール４３に沿ってマッサージ機構３が降動し、マッサージ機構３は下副レール４３に案内され下方で施療者から離反する方向に後退下降して停止し、施療子３１が邪魔にならない位置に収納させる事ができる。
【００１８】
尚、図示していないが、本発明のマッサージ機のマッサージ機構３には、前記分機用移動レール４４を切替し得る電磁クラッチ等をマイコンより制御する制御機構を設ける事ができ、これにより、マッサージ機構３の作動・停止を自動的に検知して電磁クラッチ等に動作指示を与え、分岐用移動レール４４を自動的に前後に可動切替させる事ができる。
【００１９】
従って、マッサージ機構３を作動させた場合には、マッサージ機構３が施療者の背部に沿うようマッサージ機構３を案内するマッサージ機構分岐案内レール４に自動的にする事ができ、マッサージ機構３を停止した場合には、マッサージ機構３が施療者から離反するようマッサージ機構３を収納案内するマッサージ機構分岐案内レール４に自動的にする事ができるのである。
【００２０】
【発明の効果】
本発明のマッサージ機は、以上に述べたように構成されているので、従来のマッサージ機のようにマッサージ機構を停止させて通常の椅子として使用する場合に、マッサージ機構の施療子が突出して邪魔になり、不快感を与えるという問題がなく、リラックスした通常の椅子と、マッサージを行ない得るマッサージ椅子としての機能を任意に選択して使用する事ができる。
【００２１】
また本発明のマッサージ機は、マッサージ機構にマッサージ機構の作動・停止を自動的に検知して、マッサージ機構の施療子を突出させるマッサージ機構分岐案内レールと、マッサージ機構の施療子を収納させるマッサージ機構分岐案内レールに自動的に切替できるようにしている為、使用者の意思を適格に検知してリラックスした通常の椅子と、マッサージを行ない得るマッサージ椅子としての機能を自動発揮させる事ができる。
【図面の簡単な説明】
【図１】本発明のマッサージ機の稼動時におけるマッサージ機構の昇降移動状況の一実施例を示す説明図である。
【図２】本発明のマッサージ機の稼動時におけるマッサージ機構の昇降移動状況の一実施例を示す説明図である。
【図３】本発明のマッサージ機の不使用時におけるマッサージ機構の収納移動状況の一実施例を示す説明図である。
【図４】本発明のマッサージ機の不使用時におけるマッサージ機構の収納移動状況の一実施例を示す説明図である。
【図５】本発明のマッサージ機におけるマッサージ機構案内レールの一実施例を示す説明図である。
【図６】本発明のマッサージ機におけるマッサージ機構案内レールの一実施例を示す説明図である。
【図７】本発明のマッサージ機におけるマッサージ機構案内レールの一実施例を示す説明図である。
【符号の説明】
２  背凭れ部
３  マッサージ機構
３１  施療子
４  マッサージ機構案内レール
４１  上主レール
４２  下主レール
４３  下副レール
４４  分機用移動レール
【図１】
0004666797.tif 000002
【図２】
0004666797.tif 000003
【図３】
0004666797.tif 000004
【図４】
0004666797.tif 000005
【図５】
0004666797.tif 000006
【図６】
0004666797.tif 000007
【図７】
0004666797.tif 000008